(57)【要約】【課題】洗面所やトイレ等にて使用される、手に付着した水分を強風にて吹き飛ばす手乾燥装置において、使用者の手の大きさや、両手乾燥、片手乾燥などの条件に対応した運転を行うことにより、効率的な運転をし、騒音を低減することができる手乾燥装置を提供することを目的とする。【解決手段】本体内部に設けた送風手段２と、前記送風手段２に接続した送風路３と、前記送風路３に接続した送出ノズル部４と、手が挿入されたことを検知するための手検知手段５からなる構成において、前記送出ノズル部４を複数個と、前記送出ノズル部４のそれぞれに対応する手検知手段５を前記送出ノズル部４の近傍に有し、前記手検知手段５により手を検出した場合に、前記手検知手段５に対応する前記送出ノズル部４からのみ空気の送出を行うことにより、効率が良く、低騒音化が図れる手乾燥装置１が得られる。【選択図】図１
2008036113.tif 000002
【特許請求の範囲】
【請求項１】
本体内部に設けた送風手段と、前記送風手段に接続した送風路と、前記送風路に接続した送出ノズル部と、手が挿入されたことを検知するための手検知手段を設けた手乾燥装置において、前記送出ノズル部を複数個と、前記送出ノズル部それぞれに対応する手検知手段を前記送出ノズル部の近傍に設け、前記手検知手段により手を検出した場合に、前記手検知手段に対応した前記送出ノズル部からのみ空気の送出を行うことを特徴とした手乾燥装置。
【請求項２】
送出ノズル部にシャッター構造部を設けたことを特徴とした請求項１記載の手乾燥装置。
【請求項３】
送出ノズル部にルーバー構造部を設けたことを特徴とした請求項１記載の手乾燥装置。
【請求項４】
送出ノズル部にロール構造部を設けたことを特徴とした請求項１記載の手乾燥装置。
【請求項５】
送出ノズル部に回転構造部を設けたことを特徴とした請求項１記載の手乾燥装置。
【請求項６】
本体内部に設けた送風手段と、前記送風手段に接続した送風路と、前記送風路と送出ノズル部の間に電磁弁を設けて接続することを特徴とした請求項１記載の手乾燥装置。
【請求項７】
本体内部に設けた送風手段と、前記送風手段に接続した送風路と、前記送風路に接続した送出ノズル部と、手が挿入されたことを検知するための手検知手段からなる乾燥装置を複数個設けたことを特徴とした請求項１記載の手乾燥装置。
【請求項８】
機械的スイッチを手検知手段としたことを特徴とした請求項１から７のいずれかに記載の手乾燥装置。
【請求項９】
タイマーで一定時間運転することを特徴とした請求項８記載の手乾燥装置。
【請求項１０】
測距センサーを手検知手段としたことを特徴とした請求項１から７のいずれかに記載の手乾燥装置。
【請求項１１】
赤外線発光素子と赤外線受光素子を手検知手段としたことを特徴とした請求項１から７のいずれかに記載の手乾燥装置。
【請求項１２】
空気の送出を行う送出ノズル部の数によって送風手段からの送風量を変化させることを特徴とした請求項１から１１のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、直線状に並んだ多数の穴から送出される高圧空気流により、手の水滴を飛ばし、乾燥させるものが知られていた（例えば特許文献１参照）。
【０００３】
以下、その手乾燥装置について図１３を参照しながら説明する。
【０００４】
図１３に示すように、手乾燥装置１０１は本体内部に設けた電動送風機１０２と、前記電動送風機１０２に接続する送風路１０３と、前記送風路１０３に接続する直線状に並んだ多数の穴を有するノズル１０４と、前記ノズル１０４の下部に乾燥室１０５を有し、前記電動送風機１０２を動作させることにより、ノズル１０４より高圧空気を吹出し、手に付着した水滴を飛ばし、手を乾燥させるものである。
【特許文献１】特開２００６−２５９３９号公報（段落番号００１８，図３）
【発明の開示】
【発明が解決しようとする課題】
【０００５】
このような従来の手乾燥装置の方法では、手を挿入していない部分の送出ノズル部の穴からも高圧空気が送出され、効率的でなく、騒音も高いという課題があった。
【０００６】
また、手が小さい子供が使用する時も、全ての送出ノズル部の穴から高圧空気が送出されるため、強い風と大きな音に対して恐怖を感じ、使用されにくいという課題があった。
【０００７】
本発明は、上記従来の課題を解決するもので、送出ノズル部を複数個と、前記送出ノズル部それぞれに対応する手検知手段を前記送出ノズル部の近傍に設け、前記手検知手段により手を検出した場合に、前記手検知手段に対応する前記送出ノズル部からのみ空気の送出を行うことにより、効率が良く、低騒音化できる手乾燥装置を提供することを目的としている。
【課題を解決するための手段】
【０００８】
本発明の手乾燥装置は、上記目的を達成するために、本体内部に設けた送風手段と、前記送風手段に接続した送風路と、前記送風路に接続した送出ノズル部と、手が挿入されたことを検知するための手検知手段を設けた手乾燥装置において、前記送出ノズル部を複数個と、前記送出ノズル部それぞれに対応する手検知手段を前記送出ノズル部の近傍に設けた構成としたものである。
【０００９】
この手段により、前記手検知手段により手を検出した場合に、前記手検知手段に対応する前記送出ノズル部からのみ空気の送出を行うことにより、効率が良く、低騒音化が図れる手乾燥装置が得られる。
【００１０】
また、送出ノズル部にシャッター構造部を設けたものである。
【００１１】
この手段により、送出ノズル部からの空気の送出の有無を、送出ノズル部それぞれについて設定することができる手乾燥装置が得られる。
【００１２】
また、送出ノズル部にルーバー構造部を設けたものである。
【００１３】
この手段により、送出ノズル部からの空気の送出の有無を、送出ノズル部それぞれについて設定することができる手乾燥装置が得られる。
【００１４】
また、送出ノズル部にロール構造部を設けたものである。
【００１５】
この手段により、送出ノズル部からの空気の送出の有無を、送出ノズル部それぞれについて設定することができる手乾燥装置が得られる。
【００１６】
また、送出ノズル部に回転構造部を設けたものである。
【００１７】
この手段により、送出ノズル部からの空気の送出の有無を、送出ノズル部それぞれについて設定することができる手乾燥装置が得られる。
【００１８】
また、本体内部に設けた送風手段と、前記送風手段に接続した送風路と、前記送風路と送出ノズル部の間に電磁弁を設けて接続したものである。
【００１９】
この手段により、送出ノズル部からの空気の送出の有無を、送出ノズル部それぞれについて設定することができる手乾燥装置が得られる。
【００２０】
また、本体内部に設けた送風手段と、前記送風手段に接続した送風路と、前記送風路に接続した送出ノズル部と、手が挿入されたことを検知するための手検知手段からなる乾燥装置を複数個設けたものである。
【００２１】
この手段により、送出ノズル部からの空気の送出の有無を、送出ノズル部それぞれについて設定することができる手乾燥装置が得られる。
【００２２】
また、機械的スイッチを手検知手段としたものである。
【００２３】
この手段により、機械的スイッチの入力により、前記機械的スイッチに対応する送出ノズル部から、空気を送出させることができる手乾燥装置が得られる。
【００２４】
また、機械的スイッチと手検知手段とタイマーを設けたものである。
【００２５】
この手段により、機械的スイッチの入力によりタイマーを動作させ、前記機械的スイッチに対応する送出ノズル部から、空気を一定時間送出させることができる手乾燥装置が得られる。
【００２６】
また、測距センサーを手検知手段としたものである。
【００２７】
この手段により、測距センサーの入力により、前記測距センサーに対応当する送出ノズル部から、空気を送出させることができる手乾燥装置が得られる。
【００２８】
また、赤外線発光素子と赤外線受光素子を手検知手段としたものである。
【００２９】
この手段により、赤外線発光素子から赤外線受光素子への赤外線の有無により手を検知し、対応する送出ノズル部から、空気を送出させることができる手乾燥装置が得られる。
【００３０】
また、空気の送出を行う送出ノズル部の数によって送風手段からの送風量を変化させるものである。
【００３１】
この手段により、送風手段の運転効率が良い手乾燥装置が得られる。
【発明の効果】
【００３２】
本発明によれば、本体内部に設けた送風手段と、前記送風手段に接続した送風路と、前記送風路に接続した送出ノズル部と、手が挿入されたことを検知するための手検知手段を設けた手乾燥装置において、前記送出ノズル部を複数個と、前記送出ノズル部それぞれに対応する手検知手段を前記送出ノズル部の近傍に設け、前記手検知手段により手を検出した場合に、前記手検知手段に対応した前記送出ノズル部からのみ空気の送出を行うことにより、効率が良く、低騒音化が図れる手乾燥装置を提供できる。
【００３３】
また、送出ノズル部にシャッター構造部を設けたものであり、送出ノズル部からの空気の送出の有無を、送出ノズル部それぞれについて設定することができる手乾燥装置を提供できる。
【００３４】
また、送出ノズル部にルーバー構造部を設けたものであり、送出ノズル部からの空気の送出の有無を、送出ノズル部それぞれについて設定することができる手乾燥装置を提供できる。
【００３５】
また、送出ノズル部にロール構造部を設けたものであり、送出ノズル部からの空気の送出の有無を、送出ノズル部それぞれについて設定することができる手乾燥装置を提供できる。
【００３６】
また、送出ノズル部に回転構造部を設けたものであり、送出ノズル部からの空気の送出の有無を、送出ノズル部それぞれについて設定することができる手乾燥装を提供できる。
【００３７】
また、本体内部に設けた送風手段と、前記送風手段に接続した送風路と、前記送風路と送出ノズル部の間に電磁弁を設けて接続したものであり、送出ノズル部からの空気の送出の有無を、送出ノズル部それぞれについて設定することができる手乾燥装置を提供できる。
【００３８】
また、本体内部に設けた送風手段と、前記送風手段に接続した送風路と、前記送風路に接続した送出ノズル部と、手が挿入されたことを検知するための手検知手段からなる乾燥装置を複数個設けたものであり、送出ノズル部からの空気の送出の有無を、送出ノズル部それぞれについて設定することができる手乾燥装置を提供できる。
【００３９】
また、機械的スイッチを手検知手段としたものであり、機械的スイッチの入力により、前記機械的スイッチに対応する送出ノズル部から、空気を送出させることができる手乾燥装置を提供できる。
【００４０】
また、機械的スイッチと手検知手段とタイマーを設けたものであり、機械的スイッチの入力によりタイマーを動作させ、前記機械的スイッチに対応する送出ノズル部から、空気を一定時間送出させることができる手乾燥装置を提供できる。
【００４１】
また、測距センサーを手検知手段としたものであり、測距センサーの入力により、前記測距センサーに対応する送出ノズル部から、空気を送出させることができる手乾燥装置が得を提供できる。
【００４２】
また、赤外線発光素子と赤外線受光素子を手検知手段としたものであり、赤外線発光素子から赤外線受光素子への赤外線の有無により手を検知し、対応する送出ノズル部から、空気を送出させることができる手乾燥装置を提供できる。
【００４３】
また、空気の送出を行う送出ノズル部の数によって送風手段からの送風量を変化させるものであり、送風手段の運転効率が良い手乾燥装置を提供できる。
【発明を実施するための最良の形態】
【００４４】
本発明の請求項１記載の発明は、本体内部に設けた送風手段と、前記送風手段に接続した送風路と、前記送風路に接続した送出ノズル部と、手が挿入されたことを検知するための手検知手段を設けた手乾燥装置において、前記送出ノズル部を複数個と、前記送出ノズル部それぞれに対応する手検知手段を前記送出ノズル部の近傍に設け、前記手検知手段により手を検出した場合に、前記手検知手段に対応する前記送出ノズル部からのみ空気の送出を行うことにより、手を検出した領域にのみ対応する送出ノズル部から空気を送出、噴出することができ、手を検出しない領域には送出ノズル部から空気を噴出、送出することなく、手の大きさ、手の位置にあせて、効率良く濡れた手に空気を当て、濡れた手を乾燥でき、低騒音化が図れるという作用を有する。
【００４５】
また、送出ノズル部にシャッター構造部を設けたものであり、送出ノズル部からの空気の送出の有無を、送出ノズル部それぞれについて設定することができる作用を有する。
【００４６】
また、送出ノズル部にルーバー構造部を設けたものであり、送出ノズル部からの空気の送出の有無を、送出ノズル部それぞれについて設定することができる作用を有する。
【００４７】
また、送出ノズル部にロール構造部を設けたものであり、送出ノズル部からの空気の送出の有無を、送出ノズル部それぞれについて設定することができる作用を有する。
【００４８】
また、送出ノズル部に回転構造部を設けたものであり、送出ノズル部からの空気の送出の有無を、送出ノズル部それぞれについて設定することができる作用を有する。
【００４９】
また、本体内部に設けた送風手段と、前記送風手段に接続した送風路と、前記送風路と送出ノズル部の間に電磁弁を設けて接続したものであり、送出ノズル部からの空気の送出の有無を、送出ノズル部それぞれについて設定することができる作用を有する。
【００５０】
また、本体内部に設けた送風手段と、前記送風手段に接続した送風路と、前記送風路に接続した送出ノズル部と、手が挿入されたことを検知するための手検知手段からなる乾燥装置を複数個設けたものであり、送出ノズル部からの空気の送出の有無を、送出ノズル部それぞれについて設定することができる作用を有する。
【００５１】
また、機械的スイッチを手検知手段としたものであり、機械的スイッチの入力により、前記機械的スイッチに対応する送出ノズル部から、空気を送出させることができる作用を有する。
【００５２】
また、機械的スイッチと手検知手段とタイマーを設けたものであり、機械的スイッチの入力によりタイマーを動作させ、前記機械的スイッチに対応する送出ノズル部から、空気を一定時間送出させることができる作用を有する。
【００５３】
また、測距センサーを手検知手段としたものであり、測距センサーの入力により、前記測距センサーに対応する送出ノズル部から、空気を送出させることができる作用を有する。
【００５４】
また、赤外線発光素子と赤外線受光素子を手検知手段としたものであり、赤外線発光素子から赤外線受光素子への赤外線の有無により手を検知し、対応する送出ノズル部から、空気を送出させることができる作用を有する。
【００５５】
また、空気の送出を行う送出ノズル部の数によって送風手段からの送風量を変化させるものであり、送風手段の運転効率が良くできる作用を有する。
【００５６】
（実施の形態１）
図１に示すように、手乾燥装置１は本体内部に設けた送風手段２と、前記送風手段２に接続した送風路３と、前記送風路３に接続し、たとえばシャッター構造の開閉装置を設けた複数の送出ノズル部４と、複数の各手検知手段５がカバーする領域にその各手検知手段５に対応する送出ノズル部４から空気を吹出せるように前記送出ノズル部４のそれぞれの近傍に設けられた、複数の手検知手段５により構成される。
【００５７】
送風手段２としては、送風できればよく、送風機などがある。手検知手段５としては、手を検知できればよく、例えば、赤外線センサなどがある。
【００５８】
上記構成において、手検知手段５により手を検出した場合に、前記手検知手段５の近傍に設けられた、対応する送出ノズル部４を開状態とし、送風手段２を運転することにより、複数の各手検知手段５がカバーする領域に、その各手検知手段５に対応する送出ノズル部４から空気を吹出すこととなり、手を検出した前記手検知手段５に対応する前記送出ノズル部４のみから空気の送出を行うことにより、効率的な運転が行え、低騒音化が図れる。
【００５９】
なお、本実施の形態１では、送出ノズル部が１列の手乾燥装置としているが、送出ノズル部を複数列設け、手の両面より空気の送出を行う手乾燥装置においても同様の作用効果をもたらすことは言うまでもない。
【００６０】
また、本実施の形態１では手検知手段に対応する送出ノズルからのみ空気の送出を行うとしたが、手検知手段に対応しない送出ノズルからの空気の送出量を減らす手乾燥装置においても同様の作用効果をもたらすことは言うまでもない。
【００６１】
（実施の形態２）
次に、本発明の実施の形態２について図面を参照しながら説明する。なお，実施の形態１と同一のものは同一番号を付し、その詳細な説明を省略する。
【００６２】
図２に示すように、手乾燥装置１は送出ノズル部４にシャッター構造部６を設けたものである。
【００６３】
上記構成において、シャッター構造部６の開閉により送出ノズル部４からの空気の送出の有無を、前記送出ノズル部４それぞれについて設定することができる。
【００６４】
（実施の形態３）
次に、本発明の実施の形態３について図面を参照しながら説明する。なお、実施の形態１または２と同一のものは同一番号を付し、その詳細な説明を省略する。
【００６５】
図３に示すように、手乾燥装置１は送出ノズル部４にルーバー構造部７を設けたものである。
【００６６】
上記構成において、ルーバー構造部７の開閉により送出ノズル部４からの空気の送出の有無を、前記送出ノズル部４それぞれについて設定することができる。
【００６７】
（実施の形態４）
次に、本発明の実施の形態４について図面を参照しながら説明する。なお、実施の形態１、２または３と同一のものは同一番号を付し、その詳細な説明を省略する。
【００６８】
図４に示すように、手乾燥装置１は送出ノズル部４にロール構造部８を設けたものである。
【００６９】
上記構成において、ロール構造部８の開閉により送出ノズル部４からの空気の送出の有無を、前記送出ノズル部４それぞれについて設定することができる。
【００７０】
（実施の形態５）
次に、本発明の実施の形態５について図面を参照しながら説明する。なお、実施の形態１、２、３または４と同一のものは同一番号を付し、その詳細な説明を省略する。
【００７１】
図５に示すように、手乾燥装置１は送出ノズル部４に回転構造部９を設けたものである。
【００７２】
上記構成において、回転構造部９の開閉により送出ノズル部４からの空気の送出の有無を、前記送出ノズル部４それぞれについて設定することができる。
【００７３】
（実施の形態６）
次に、本発明の実施の形態６について図面を参照しながら説明する。なお、実施の形態１、２、３、４または５と同一のものは同一番号を付し、その詳細な説明を省略する。
【００７４】
図６に示すように、手乾燥装置１は本体内部に設けた送風路３と、前記送風路３と送出ノズル部４の間に電磁弁１０を設けて接続される。
【００７５】
上記構成において、送出ノズル部４からの空気の送出の有無を、前記電磁弁１０の開閉により前記送出ノズル部４それぞれについて設定することができる。
【００７６】
（実施の形態７）
次に、本発明の実施の形態７について図面を参照しながら説明する。なお、実施の形態１、２、３、４、５または６と同一のものは同一番号を付し、その詳細な説明を省略する。
【００７７】
図７に示すように、手乾燥装置１は本体内部に設けた送風手段２と、前記送風手段２に接続した送風路３と、前記送風路３に接続した送出ノズル部４と、手が挿入されたことを検知するための手検知手段５からなる乾燥装置１１が複数個により構成される。
【００７８】
上記構成において、送出ノズル部４からの空気の送出の有無を、前記送出ノズル部４それぞれについて設定することができる。
【００７９】
（実施の形態８）
次に、本発明の実施の形態８について図面を参照しながら説明する。なお、実施の形態１、２、３、４、５、６または７と同一のものは同一番号を付し、その詳細な説明を省略する。
【００８０】
図８に示すように、手乾燥装置１は機械的スイッチ１２を手検知手段としたものであり、前記機械的スイッチ１２、送出ノズル部４、送風手段２を制御する制御部１３より構成される。
【００８１】
上記構成において、機械的スイッチ１２が押され場合、前記機械的スイッチ１２からの信号が制御部１３に入力され、前記制御部１３が前記機械的スイッチ１２に対応する送出ノズル部４を開状態とし、送風手段２を運転させることにより、前記機械的スイッチ１２に対応する前記送送出ノズル部４から、空気を送出させることができる。
【００８２】
（実施の形態９）
次に、本発明の実施の形態９について図面を参照しながら説明する。なお、実施の形態１、２、３、４、５、６、７または８と同一のものは同一番号を付し、その詳細な説明を省略する。
【００８３】
図９に示すように、手乾燥装置１は機械的スイッチ１２を手検知手段としたものであり、前記機械的スイッチ１２の入力により、送出ノズル部４の開、送風手段２の運転を一定時間行うタイマー部１４より構成される。
【００８４】
上記構成において、機械的スイッチ１２が押され場合、前記機械的スイッチ１２からの信号がタイマー部１４に入力され、前記タイマー部１４が一定の時間の間、前記機械的スイッチ１２に対応する送出ノズル部４を開状態とし、送風手段２を運転させることにより、前記機械的スイッチ１２に対応する前記送送出ノズル部４から、空気を前記一定時間の間、送出させることができる。
【００８５】
（実施の形態１０）
次に、本発明の実施の形態１０について図面を参照しながら説明する。なお、実施の形態１、２、３、４、５、６、７、８または９と同一のものは同一番号を付し、その詳細な説明を省略する。  図１０に示すように、手乾燥装置１は測距センサー１５を手検知手段５としたものである。測距センサー１５としては、距離が測定できればよく、例えば、赤外線の発光と受光を利用したものなどがある。
【００８６】
上記構成において、測距センサー１５の入力により、前記測距センサー１５に対応する送出ノズル部４から、空気を送出させることができる。
【００８７】
（実施の形態１１）
次に、本発明の実施の形態１０について図面を参照しながら説明する。なお、実施の形態１、２、３、４、５、６、７、８、９または１０と同一のものは同一番号を付し、その詳細な説明を省略する。
【００８８】
図１１に示すように、手乾燥装置１は赤外線を照射する赤外線発光素子１６と、前記赤外線発光素子１６から照射される赤外線を受光する赤外線受光素子１７の組合せを、手検知手段５としたものである。
【００８９】
上記構成において、赤外線発光素子１６から赤外線受光素子１７へ照射される赤外線が、手の挿入により遮断された場合に、手があると検知を行い、対応する送出ノズル部４から、空気を送出させることができる。
【００９０】
なお、本実施の形態１１では、赤外線発光素子１６と赤外線受光素子１７は対向する位置とし、赤外線発光素子１６から赤外線受光素子１７への透過式としたが、赤外線発光素子１６と赤外線受光素子１７を同面上の位置とし、赤外線発光素子１６から照射された赤外線が手に反射し、赤外線受光素子１７に入力される反射式においても同様の作用効果をもたらすことは言うまでもない。
【００９１】
（実施の形態１２）
次に、本発明の実施の形態１０について図面を参照しながら説明する。なお、実施の形態１、２、３、４、５、６、７、８、９、１０または１１と同一のものは同一番号を付し、その詳細な説明を省略する。
【００９２】
図１２に示すように、手乾燥装置１は本体内部に設けた送風手段２と、前記送風手段２に接続した送風路３と、前記送風路３に接続した複数の送出ノズル部４と、前記送出ノズル部４のそれぞれに対応する手検知手段５と、前記手検知手段５の入力に対し、前記送風手段２と、前記送出ノズル部４を制御する制御部１３により構成される。
【００９３】
上記構成において、制御部１３は手検知手段５の入力により、空気の送出を行う送出ノズル部４を開状態とし、開状態の前記送出ノズル部４の数によって送風手段２の運転状態を決定し、たとえば正比例で、前記送風手段を運転することにより、前記送風手段２が不必要な送風を行わないようにすることにより、前記送風手段２の運転効率を良くすることができる。
【産業上の利用可能性】
【００９４】
効率のよい乾燥ができることにより、水洗いした後の送風による乾燥手法において、効率のよい乾燥を行うことができる。
【図面の簡単な説明】
【００９５】
【図１】本発明の実施の形態１の手乾燥装置の構成を示す概略図
【図２】本発明の実施の形態２の手乾燥装置の構成を示す概略図（（ａ）同構成を示す概略図、（ｂ）シャッター構造部の閉状態を示す図、（ｃ）同シャッター構造部の開状態を示す図）
【図３】本発明の実施の形態３の手乾燥装置の構成を示す概略図（（ａ）同構成を示す概略図、（ｂ）同ルーバー構造部の閉状態を示す図、（ｃ）同ルーバー構造部の開状態を示す図）
【図４】本発明の実施の形態４の手乾燥装置の構成を示す概略図（（ａ）同構成を示す概略図、（ｂ）同ルーバー構造部の閉状態を示す図、（ｃ）同ルーバー構造部の開状態を示す図）
【図５】本発明の実施の形態５の手乾燥装置の構成を示す概略図（（ａ）同構成を示す概略図、（ｂ）同回転構造部の閉状態を示す図、（ｃ）同回転構造部の開状態を示す図）
【図６】本発明の実施の形態６の手乾燥装置の構成を示す概略図
【図７】本発明の実施の形態７の手乾燥装置の構成を示す概略図
【図８】本発明の実施の形態８の手乾燥装置の構成を示す概略図
【図９】本発明の実施の形態９の手乾燥装置の構成を示す概略図
【図１０】本発明の実施の形態１０の手乾燥装置の構成を示す概略図
【図１１】本発明の実施の形態１１の手乾燥装置の構成を示す概略図
【図１２】本発明の実施の形態１２の手乾燥装置の構成を示す概略図
【図１３】従来の手乾燥装置の構成を示す概略図
【符号の説明】
【００９６】
１      手乾燥装置
２      送風手段
３      送風路
４      送出ノズル部
５      手検知手段
６      シャッター構造部
７      ルーバー構造部
８      ロール構造部
９      回転構造部
１０    電磁弁
１１    乾燥装置
１２    機械的スイッチ
１３    制御部
１４    タイマー部
１５    測距センサー
１６    赤外線発光素子
１７    赤外線受光素子
１０１  手乾燥装置
１０２  電動送風機
１０３  送風路
１０４  ノズル
１０５  乾燥室
【図１】
2008036113.tif 000003
【図２】
2008036113.tif 000004
【図３】
2008036113.tif 000005
【図４】
2008036113.tif 000006
【図５】
2008036113.tif 000007
【図６】
2008036113.tif 000008
【図７】
2008036113.tif 000009
【図８】
2008036113.tif 000010
【図９】
2008036113.tif 000011
【図１０】
2008036113.tif 000012
【図１１】
2008036113.tif 000013
【図１２】
2008036113.tif 000014
【図１３】
2008036113.tif 000015